(57)【要約】【課題】マルチディスプレイシステムであっても表示画像の画像データに応じた最適な画像を観察することを容易に可能にした画像表示装置の品質管理システムを提供する。【解決手段】本実施例の品質管理システム１０は、少なくとも１つ以上のディスプレイシステム１１と、管理装置６０と、ローカルプリンタ７０と、ネットワークプリンタ７２とを有し、少なくとも１つ以上のディスプレイシステム１１と、管理装置６０と、ネットワークプリンタ７２とがバスＢを介して接続され、ネットワークを形成している。ディスプレイシステム１１は、１台のＰＣ２０に２画面のディスプレイ３２、３４が接続されている。ディスプレイ３２、３４ごとに、ディスプレイ３２、３４の画素数と同じ画素数でテストパターン８０を表示する。これにより、目視試験などの不変性試験について正確に試験できるとともに、階調特性の校正も正確にできる。【選択図】図１
2004163823.tif 000002
【特許請求の範囲】
【請求項１】
医療診断に使用されるモノクロ画像を表示する画像表示装置の品質管理システムであって、
前記モノクロ画像を表示する少なくとも１つ以上のディスプレイと、
前記ディスプレイごとに、前記ディスプレイの表示画素数と同じ画素数でテストパターンを表示させるパターン信号を発生するテストパターン発生手段と、
前記ディスプレイ、前記ディスプレイに接続されたビデオカード、および前記ビデオカードを制御する処理部の少なくとも１つに設けられ、入力された画像信号または前記パターン信号を変換して前記ディスプレイに前記モノクロ画像として表示させる画像信号変換手段と、
前記ディスプレイに表示されたテストパターンの輝度を測定する輝度計と、
前記ディスプレイに表示された前記テストパターンの目視評価結果および輝度測定結果、ならびに前記目視評価結果および前記輝度測定結果の履歴を前記ディスプレイごとに記憶する記憶部と、
前記輝度測定結果に基づいて前記表示画面の階調特性を補正する階調補正手段と、
前記各画像信号変換手段と、前記階調補正手段とを選択的に接続させる選択部とを有して構成される少なくとも１つ以上の画像表示装置と、
前記目視評価結果および前記輝度測定結果、ならびに前記目視評価結果および前記輝度測定結果の履歴を一括して管理する管理装置とがネットワークに接続されて構成されたことを特徴とする画像表示装置の品質管理システム。
【請求項２】
前記画像表示装置または前記管理装置は、前記目視評価結果および前記輝度測定結果、ならびに前記目視評価結果および前記輝度測定結果の履歴を直接接続または前記ネットワークに接続されたプリンタに出力する請求項１に記載の画像表示装置の品質管理システム。
【請求項３】
前記テストパターンは、グレースケールパターン、解像度パターン、画面歪みパターン、カラーパターンおよびＳＭＰＴＥパターンの少なくとも１つであり、補間処理を施さずに発生させるとともに、前記ディスプレイに表示される請求項１または２に記載の画像表示装置の品質管理システム。
【請求項４】
前記テストパターンが前記画面歪みパターンである場合、画面歪みの測定位置を示す目印を前記ディスプレイに表示する請求項３に記載の画像表示装置の品質管理システム。
【請求項５】
前記階調補正手段による前記表示画面の階調特性は、複数の種類から選択される請求項１乃至４のいずれか１項に記載の画像表示装置の品質管理システム。
【発明の詳細な説明】
【０００１】
【発明の属する技術分野】
本発明は、医療の目視検査などに使用される医療診断用のモノクロ画像を表示する画像表示装置の品質管理システムに関し、特に、ディスプレイごとに品質管理する画像表示装置の品質管理システムに関する。
【０００２】
【従来の技術】
ＭＲＩ診断装置、Ｘ線診断装置、またはＦＣＲ（富士コンピューテッドラジオグラフィー）等の医療用測定装置で撮影された診断画像は、通常、Ｘ線フィルムまたはフィルム感光材料等の光透過性の画像記録フィルムに記録され、光透過性の画像として再生される。この診断画像が再生されたフィルムは、シャーカステンと呼ばれる光源装置にセットされて、背面から光を照射された状態で観察され、診断が行われる。
これに対して、近年では、医療用測定装置で撮影した診断画像をＣＲＴ（Ｃａｔｈｏｄｅ  Ｒａｙ  Ｔｕｂｅ）またはＬＣＤ（液晶表示装置）などのディスプレイに表示して、観察し、診断することが行われている（電子シャーカステン）。
【０００３】
フィルムに再生した画像を用いて診断を行う場合には、言うなれば画像は固定されたものであり、シャーカステンの輝度または観察環境による若干の違いは有するものの、基本的に、同じ画像を観察して診断を行うことができる。
【０００４】
これに対して、ディスプレイ画像を用いて診断（以下、ディスプレイ診断という）を行う場合、固定されているのは画像データであって、表示画像すなわち診断画像は、ディスプレイの種類または状態、および経時的な変動等によって変わってしまう。このような画像の違いは、誤診の原因とも成り得る重大な問題である。そのため、ディスプレイ診断を行う場合には、ディスプレイの状態を適正に保つための、ディスプレイの品質管理（ＱＣ）が必要である。
【０００５】
近年、コンピュータネットワークの普及により、大病院および健康診断専門のクリニック等においては、１台または複数台の診断装置による診察結果を、複数の異なるディスプレイで表示できる、画像表示システムが構築されることも多い。
【０００６】
また、１台のコンピュータ（以下、ＰＣという）に対してビデオカードなどを介して複数台のディスプレイを接続する、いわゆるマルチディスプレイシステムがある。このマルチディスプレイシステムを用いて、各ディスプレイごとに異なる診断画像を表示して、ディスプレイ診断することが行われており、さらに複数台のディスプレイを１つの画面としてディスプレイ診断することも行われている。
【０００７】
また、このような医療用に限らず、各種の画像表示システムにおいては、前述のようなＬＣＤの普及等によってディスプレイの選択肢が増え、ＣＲＴとＬＣＤ等、１つの画像表示システムに異なる種類の表示デバイスが利用されることも多い。また、画像サイズ（画素数）または画素サイズが異なる等、１つの画像表示システムであっても、同じ種類ではあるものの、特性が異なる表示装置が利用されることも多い。
【０００８】
マルチディスプレイシステムのディスプレイの品質管理においても、ディスプレイの階調特性、または輝度などの状態を適正にする必要がある。この場合、品質管理において、ＰＣ、ビデオカードまたはソフトウエアに設けられたルックアップテーブル（以下、ＬＵＴという）の設定を変更することにより、階調特性、または輝度などの状態が適正に保たれる。
【０００９】
【発明が解決しようとする課題】
しかしながら、ＰＣのオペレーティングシステム（以下、ＯＳという）、ビデオカードまたはソフトウエアのＬＵＴは、システム依存性があり、これらのＬＵＴは、全て設定を変更できるものではなく、マルチディスプレイシステムの構成によっては、ＬＵＴの設定を変更できないという問題点がある。これにより、ディスプレイの品質管理が煩雑になるという問題点もある。
【００１０】
本発明はかかる問題点に鑑みてなされたものであり、マルチディスプレイシステムであっても表示画像の画像データに応じた最適な画像を観察することを容易に可能にした画像表示装置の品質管理システムを提供することを目的とする。
【００１１】
【課題を解決するための手段】
前記課題を解決するために、本発明は、医療診断に使用されるモノクロ画像を表示する画像表示装置の品質管理システムであって、前記モノクロ画像を表示する少なくとも１つ以上のディスプレイと、前記ディスプレイごとに、前記ディスプレイの表示画素数と同じ画素数でテストパターンを表示させるパターン信号を発生するテストパターン発生手段と、前記ディスプレイ、前記ディスプレイに接続されたビデオカード、および前記ビデオカードを制御する処理部の少なくとも１つに設けられ、入力された画像信号または前記パターン信号を変換して前記ディスプレイに前記モノクロ画像として表示させる画像信号変換手段と、前記ディスプレイに表示されたテストパターンの輝度を測定する輝度計と、前記ディスプレイに表示された前記テストパターンの目視評価結果および輝度測定結果、ならびに前記目視評価結果および前記輝度測定結果の履歴を前記ディスプレイごとに記憶する記憶部と、前記輝度測定結果に基づいて前記表示画面の階調特性を補正する階調補正手段と、前記各画像信号変換手段と、前記階調補正手段とを選択的に接続させる選択部とを有して構成される少なくとも１つ以上の画像表示装置と、前記目視評価結果および前記輝度測定結果、ならびに前記目視評価結果および前記輝度測定結果の履歴を一括して管理する管理装置とがネットワークに接続されて構成されたことを特徴とする画像表示装置の品質管理システムを提供するものである。
【００１２】
本発明においては、前記画像表示装置または前記管理装置は、前記目視評価結果および前記輝度測定結果、ならびに前記目視評価結果および前記輝度測定結果の履歴を直接接続または前記ネットワークに接続されたプリンタに出力することが好ましい。
【００１３】
この場合、前記テストパターンは、例えば、ＪＩＳ  Ｚ４７５２−２−５で規定されたグレースケールパターン、解像度パターン、画面歪みパターン、カラーパターンや、ＳＭＰＴＥ  ＲＰ（Ｒｅｃｏｍｍｅｎｄｅｄ  Ｐｒａｃｔｉｃｅ）−１３３で規定されたＳＭＰＴＥパターンの少なくとも１つであり、補間処理を施さずに発生させるとともに、前記ディスプレイに表示されることが好ましい。また、前記テストパターンが前記画面歪みパターンである場合、画面歪みの測定位置を示す目印を前記ディスプレイに表示することが好ましい。
【００１４】
また、本発明においては、前記階調補正手段による前記表示画面の階調特性を複数の種類から選択することができる。
【００１５】
【発明の実施の形態】
以下、本発明の実施例に係る画像表示装置の品質管理システムについて、添付の図面を基に詳細に説明する。
図１は、本発明の実施例に係る画像表示装置の品質管理システムを示すブロック図である。本実施例においては、１台のＰＣに２台のディスプレイが接続されているものについて説明する。
【００１６】
図１に示すように、本実施例の品質管理システム１０は、少なくとも１つ以上のディスプレイシステム１１（画像表示装置）と、管理装置６０と、ローカルプリンタ７０と、ネットワークプリンタ７２とを有し、前記少なくとも１つ以上のディスプレイシステム１１と、管理装置６０と、ネットワークプリンタ７２とが、バスＢを介して接続され、ネットワークを形成している。
【００１７】
ディスプレイシステム１１は、ＰＣ２０と、表示デバイス３０と、表示デバイス３０の表示画面の輝度を測定する輝度計４０とを有する。
ＰＣ２０は、画像データ入力部２１と、テストパターン発生部２２と、処理部２４と、ビデオカード２６と、階調補正テーブル作成部２７と、選択部２８と、ＱＣメモリ２９ａ、２９ｂと、輝度計制御部４２と、管理部５０と、出力部５２とを有する。なお、ＰＣ２０は、これ以外にもコンピュータが一般的に有するメモリ、ＣＰＵなどを有し、ＯＳにより管理されている。
表示デバイス３０は、２つのディスプレイ３２、３４を有する。
【００１８】
画像データ入力部２１は、画像診断に用いられるモノクロ画像の画像データＤが入力されるものである。この画像データＤは、画像読取装置、ＭＯ、ＣＤもしくはメモリーカードなどの各種の記憶媒体からデータを読み出すことができるメディアドライバ、またはネットワークなどから提供されるものである。
【００１９】
テストパターン発生部２２は、表示デバイス３０の品質管理時にディスプレイ３２、３４に表示させるＪＩＳなどの規格に規定されているテストパターンのテストパターン信号を発生させるものである。テストパターン発生部２２は、このテストパターンを記憶するとともに、ディスプレイ３２、３４の画素数に対応させてテストパターンのテストパターン信号を発生させ、拡大または縮小などの補間処理を施すことはない。その理由は、補間処理が施されると解像度の目視試験が正しく行えないからである。
【００２０】
図２（ａ）乃至（ｄ）はテストパターン発生部により発生されるテストパターンを示す模式図である。
図２（ａ）に示すテストパターン８０は、グレースケールの再現性を評価するものであり、無彩色のパッチが所定のステップウエッジで形成されたグレースケール８６が中央部に設けられ、このグレースケール８６を挟んでシャドーパッチ８２と、ハイライトパッチ８４とが設けられているものである。
図２（ｂ）に示すテストパターン８０ａは、解像度の再現性を評価するものであり、垂直方向のバーパターンを有するパッチ８７と、水平方向のバーパターンを有するパッチ８８とが４隅および中央に設けられているものである。
【００２１】
図２（ｃ）に示すテストパターン８０ｂは、カラーの再現性を評価するものであり、赤のパッチ９０Ｒ、青のパッチ９０Ｂおよび緑のパッチ９０Ｇが設けられているものである。
図２（ｄ）に示すテストパターン８０ｃは、画像歪みを評価するものであり、正方形格子９１が設けられ、さらに表示領域で最大となる円９２が設けられているものである。また、このテストパターン８０ｃには、表示領域の周縁部に沿って、境界を示すマーク９３が設けられる。
【００２２】
図３は、図２（ｄ）に示すテストパターン８０ｃの他の表示方法を示す模式図である。なお、図３においては、図２（ｄ）に示すマーク９３の図示は省略している。
図２（ｄ）に示すように、テストパターン８０ｃは、正方形格子９１が設けられており、必要な線分、例えば、上下左右の端の線分または中央の縦横の線分の長さを測定する。このとき、測定線分を判別しにくい虞があり、測定線分をより特定しやすくするために、図３に示すように、テストパターン８０ｃの測定線分に楔状のマーカ９２（目印）を表示する。このように、測定線分にマーカ９２を設けることにより、測定線分がより判別しやすくなり、測定をより一層容易に行うことができる。また、データ入力ウインドウ９５が表示され、測定された線分長さのデータを入力することができる。
【００２３】
なお、テストパターンは、上述の例に限定されるものではなく、ＳＭＰＴＥパターン、および胸部または膝部などの臨床画像パターンが挙げられる。なお、臨床画像パターンについては、補間処理などの画像処理を施して表示してもよい。また、テストパターン発生部２２は、外部の機器に接続され、この機器からテストパターン信号が入力されるようにしてもよい。
【００２４】
さらに、テストパターン発生部２２は、ディスプレイ３２、３４の画素数を認識してテストパターンを発生させるのではなく、予めディスプレイ３２、３４の画素数（解像度）に応じたテストパターンを持ち、これにより、テストパターンを出力するようにしてもよい。この場合、画素数が同じでも、ディスプレイ３２、３４の配置により縦横比が変わるので、それに対応したテストパターンが記憶される。
【００２５】
再び、図１に戻り、処理部２４は、画像データ入力部２１に接続されており、この画像入力部２１を介して入力された画像データＤに、ソフトウエア的に所定の処理を施すものである。この処理部２４には、ディスプレイ３２、３４の数に対応して、２つのＬＵＴ２４ａ、２４ｂが設けられている。このＬＵＴ２４ａ、２４ｂはそれぞれ画像データ入力部２１およびテストパターン発生部２２に接続されている。さらに、ＬＵＴ２４ａ、２４ｂは、選択部２８により階調補正テーブル作成部２７と選択的に接続されている。
ＬＵＴ２４ａ、２４ｂは、それぞれディスプレイ３２、３４に対応して設けられており、ディスプレイ３２、３４による画像表示に対応する診断画像データに変換してディスプレイ３２、３４に供給し、診断画像をディスプレイ３２、３４に表示させるものである。
【００２６】
ビデオカード２６は、画像データＤをディスプレイ３２、３４による画像表示に対応する診断画像データに変換してディスプレイ３２、３４に供給し、診断画像をディスプレイ３２、３４に表示するものである。このビデオカード２６には、ディスプレイ３２、３４に対応してＬＵＴ２６ａ、２６ｂが設けられている。このＬＵＴ２６ａ、２６ｂは、処理部２４のＬＵＴ２４ａ、２４ｂと同じ機能を有するものであり、その詳細な説明は省略する。
ビデオカード２６のＬＵＴ２６ａ、２６ｂはそれぞれ画像データ入力部２１およびテストパターン発生部２２に接続されている。さらに、このＬＵＴ２６ａ、２６ｂも、選択部２８により階調補正テーブル作成部２７と選択的に接続されている。
【００２７】
表示デバイス３０は、複数の表示画面を有するものであり、前述したように、本実施例では、２つのディスプレイ３２、３４を有している。各ディスプレイ３２、３４にはそれぞれＬＵＴ３６、３８が設けられている。ＬＵＴ３６、３８は、前述した処理部２４のＬＵＴ２４ａ、２４ｂと同様の機能を有するものであり、入力された画像データＤをディスプレイ３２、３４による画像表示に対応する診断画像データに変換してディスプレイ３２、３４に供給し、診断画像をディスプレイ３２、３４に表示するものである。
【００２８】
階調補正テーブル作成部２７は、輝度計４０の測定結果に基づいて、ディスプレイ３２、３４に適正な輝度および所定の階調特性で診断画像が表示されるようにＬＵＴ２４ａ、２４ｂ、２６ａ、２６ｂ、３６、３８の階調補正テーブルを作成するものである。この階調補正テーブル作成部２７は、図示はしないが、テストパターン発生部２２と接続されており、各テストパターンの画像データを読み出すことができる。
【００２９】
選択部２８は、処理部２４のＬＵＴ２４ａ、２４ｂ、ビデオカード２６のＬＵＴ２６ａ、２６ｂ、および表示デバイス３０のＬＵＴ３６、３８と、階調補正テーブル作成部２７とを選択的に接続するものである。これにより、階調補正テーブル作成部２７で作成した補正テーブルを各ＬＵＴ２４ａ、２４ｂ、２６ａ、２６ｂ、３６、３８に選択的に設定することができる。
【００３０】
ＱＣメモリ２９ａ、２９ｂは、後述する品質管理結果、輝度測定結果、および階調特性の結果ならびにこれらの履歴を保持するものである。
【００３１】
本実施例のディスプレイシステム１１においては、画像データ入力部２１に入力された画像データＤまたはテストパターンが、処理部２４、ビデオカード２６およびディスプレイ３２、３４のいずれかのＬＵＴ２４ａ、２４ｂ、２６ａ、２６ｂ、３６、３８に入力されて所定の解像度、輝度、および階調特性またはテストパターンがディスプレイ３２、３４に表示される。
また、前述したいずれのＬＵＴ２４ａ、２４ｂ、２６ａ、２６ｂ、３６、３８においても、ディスプレイ３２、３４に表示させる画像を所定の階調特性に変換するものの、テストパターン８０乃至８０ｃについては、拡大および縮小などの補間はしない。また、ＬＵＴ２４ａ、２４ｂ、２６ａ、２６ｂ、３６、３８は、ソフトウエアおよびハードウエアの構成によっては、設定を変更することができないことがある。
【００３２】
表示デバイス３０の階調特性を図４に示す。
図４は、縦軸に規格化輝度を対数でとり、横軸に規格化画像データをとって、表示デバイス３０の階調特性を示す片対数グラフである。
図４に示すように、ディスプレイ３２、３４に表示する画像の階調特性は、例えば、ＣＲ（Ｃｏｍｐｕｔｅｄ  Ｒａｄｉｏｇｒａｐｈｙ）診断装置で撮影された画像は、一般に、診断用フィルムのイメージャの階調特性に合わせてｌｏｇリニア（対数変換してリニアになる特性）の階調特性で表示することが好ましく、特にＦＣＲ（富士写真フイルム（株）製のコンピュータ制御による放射線画像取得システム）装置では、システムのイメージャに合わせて中間域がｌｏｇリニアになるＦＦｌｏｇリニアの階調特性で表示することが好ましい。
【００３３】
また、内視鏡画像では、元々がＣＲＴディスプレイに表示することを前提に画像データが生成されるため、γ＝２．  ２の階調特性で表示することが好ましい。さらにまた、近年では、観察者により観察しやすい画像を提供するために、人間の視覚の特性に合わせた階調特性である、ＤＩＣＯＭのＧＳＤＦに規定される階調特性に対応する階調特性での表示が望まれている。このＧＳＤＦに規定される階調特性は、特に低輝度側においてガンマを立てた特性、すなわち、人間の視覚の特性である、低輝度域におけるコントラスト弁別機能の低下を補う形にしたものである。このＧＳＤＦに規定される階調特性に従って表示される画像は、特に低輝度域における階調の再現性に優れたものとなるので、医用画像の観察に好適な画像表示が得られる。なお、ディスプレイ３２、３４に表示する画像の階調特性は、ユーザが設定した任意の階調特性であってもよい。
【００３４】
また、表示デバイス３０は、画像をモノクロ表示することができれば、特に限定されるものではなく、液晶表示装置、プラズマディスプレイパネル、有機ＥＬ表示装置、およびＣＲＴ表示装置などを用いることができ、さらにカラー表示できるものを用いてモノクロ表示してもよく、この場合、フィルムのブルーベースの色調に近くなるようにブルー味を強調した色調でモノクロ表示することが好ましい。
【００３５】
輝度計４０は、ディスプレイ３２、３４の非表示時の画面の輝度、およびテストパターン８０の各部の輝度などを測定するものである。
輝度計制御部４２は、輝度計４０を制御するものである。
【００３６】
管理部５０は、後述する品質管理における試験項目、および試験頻度などを設定し、試験履歴などを管理し、出力部５２は、ＱＣメモリ２９ａ、２９ｂに記憶された情報を所定の形式に整えて外部に出力する。
【００３７】
前述の管理部５０は、例えば、試験項目の設定機能、試験頻度の設定機能、目視テストパターンの選択機能、基礎値および許容値の設定機能、アラート機能、試験の自動実行機能、履歴表示機能、レポート機能、ならびにレポーティング選択機能を有するものである。
【００３８】
試験項目の設定機能は、後述する不変性試験における試験項目を設定するものであり、試験項目としては、例えば、目視試験、輝度測定、グレースケール、幾何学的歪み、空間解像度および低コントラスト解像度、画像の安定性およびアーチファクト、ならびにカラー関連事項が挙げられる。これらの試験項目のうち、ユーザにより、ディスプレイシステム１１において、必要な試験項目が選択され、これを管理部５０に設定する。
【００３９】
試験頻度の設定機能は、上記試験項目のうち、選択された項目の試験時期を決定し、管理部５０に設定するものである。例えば、目視試験を２ヶ月に１回行い、幾何学的歪みの試験を３ヶ月に１回行うと設定する。
基礎値および許容値の設定機能は、例えば、不変性試験における基礎値およびその許容値を設定するものである。これに以外にも、階調特性を校正する際の各パッチの濃度に対しても基礎値および許容値を設定できる。
目視テストパターンの選択機能は、試験項目によっては、規格などにより複数のテストパターンが選択可能な場合があり、このとき、ユーザにより任意の目視テストパターンが選択される。
【００４０】
アラート機能は、試験頻度で設定された時期を過ぎた場合、例えば表示デバイス３０のディスプレイ３２、３４に試験項目を表示するものである。
図５は、表示デバイスのディスプレイに表示されるアラート画面を示す模式図である。
図５に示すように、ウインドウ１００の表示領域１０２に試験時期が過ぎてしまった試験項目が表示されるとともに、試験項目の実行時期を決定するようにメッセージが表示される。また、このウインドウ１００には、表示領域１０２の枠外に上記メッセージに対する回答の選択肢を示すボタン１０４、１０６、１０８が、例えば３つ設けられている。ユーザの判断によりいずれかのボタン１０４、１０６、１０８がクリックされ、試験時期が決定される。
試験の自動実行機能は、管理部５０に設定された試験項目の実行時期になったときに、自動的に試験を行う機能であり、自動的に試験を行うか否かを管理部５０に設定する。
【００４１】
履歴表示機能は、上述に示すように、設定された試験項目について、ディスプレイ３２、３４ごとに、試験時期および試験結果を各ＱＣメモリ２９ａ、２９ｂに記録させるものである。
レポート機能は、品質管理試験の結果をまとめて報告文書にするものであり、ＪＩＳ、ＤＩＮ（ドイツ工業規格）、およびＡＡＰＭ（アメリカ医用物理学会）などの各規格によって様式が異なる。このため、試験項目が同じであっても、報告する内容が異なり、報告文書の様式も異なる。なお、報告文書の様式としては、例えば、ＪＩＳ  Ｚ４７５２−２−５に規定されたものが挙げられる。
レポーティング選択機能は、上述の如く、各規格によって報告文書の形式が異なるので、報告文書の様式を管理部５０に設定するものである。これにより、出力部５２でＱＣメモリ２９ａ、２９ｂからデータを読み出して所定の様式にされてネットワークプリンタ７２またはローカルプリンタ７０に出力される。
【００４２】
管理装置６０は、ネットワーク上に存在するディスプレイシステム１１の全ての品質管理結果、および輝度測定結果を管理するものであり、ディスプレイシステム１１の全ての品質管理結果、および輝度測定結果をまとめて記憶しておく、ＱＣメモリ６２を有する。図１では、管理装置６０を独立に設けているが、任意の１つのディスプレイシステム１１のＰＣ２０を管理装置として併用してもよい。
なお、ローカルプリンタ７０は、各ディスプレイシステム１１または管理装置６０に直接接続されたプリンタであり、後述する評価結果、およびレポートなどを出力するものである。
【００４３】
ネットワークプリンタ７２は、バスＢに接続されたネットワーク上に存在するものであり、ローカルプリンタ７０と同様に後述する評価結果、およびレポートなどを出力するものである。
【００４４】
次に、本実施例の品質管理システムによる品質管理方法について説明する。
本実施例においては、一例として、ディスプレイの不変性試験および階調特性の校正について説明する。なお、本実施例においては、１つのディスプレイシステム１１について説明するが、ネットワーク上に存在する他のディスプレイシステムにおいても、同様であるので、その詳細な説明は省略する。
【００４５】
不変性試験とは、画像診断に利用されるディスプレイの輝度の初期値に対する変化を測定するものであり、輝度の初期値に対する許容範囲を設定し、この許容範囲に輝度値があるか否かを検査するものである。
また、階調特性の校正については、所定の階調特性で診断画像が表示されているかを測定し、これを補正する階調補正テーブルを作成するものである。
【００４６】
図６（ａ）は、本実施例の品質管理システムにおけるテストパターンの表示方法を示す模式図、（ｂ）は、本実施例の品質管理システムにおけるテストパターンの他の表示方法を示す模式図である。
【００４７】
テストパターン発生部２２（図１参照）から図６（ａ）に示すようなパターンを表すテストパターン信号を出力させて、表示デバイス３０の各ディスプレイ３２、３４にテストパターン８０を表示する。ＰＣ２０は、各ディスプレイ３２、３４の画素数をＯＳが認識しており、このとき、ディスプレイ３２、３４の画素数に合わせて補間することなしにテストパターン８０を表示する。すなわち、ディスプレイ３２、３４の画素数とテストパターン８０との画素数とが一致している。
また、図６（ｂ）に示すように、試験を行うディスプレイ３２だけにテストパターン８０を表示し、試験を行わないディスプレイ３４は、黒べたを表示するようにしてもよい。
【００４８】
なお、図７は、従来のテストパターンの表示方法を示す模式図である。本実施例において、図７に示す従来のようにディスプレイ３２およびディスプレイ３４の２つを１つのディスプレイとして認識してテストパターン８０を表示した場合には、テストパターン８０が拡大されて表示されることになり、画素数の差を補間するため、目視試験においては、正確な判定ができず、正確な品質管理が行えない。このため、本実施例においては、図６（ａ）および（ｂ）に示すように、各ディスプレイ３２、３４（図１参照）ごとにテストパターン８０を表示する。
【００４９】
本実施例においては、不変性試験としてＳＭＰＴＥパターンの目視試験、最高輝度（Ｌｍａｘ）、最低輝度（Ｌｍｉｎ）および表面反射輝度（Ｌａｍｂ）を試験項目とし、試験頻度を３ヶ月に１回に設定した場合について説明する。
予め、ディスプレイシステムを導入したときに、ディスプレイ３２、３４（図１参照）の表示画面ごとにグレースケールパターン（図２（ａ）参照）を表示して最高輝度、最低輝度、およびディスプレイ３２、３４の電源をオフにした状態で表面反射輝度を測定し、各測定値を各項目における基礎値とする。この基礎値に対して許容値を設定する。本実施例においては、最高輝度の基礎値を３５０（ｃｄ／ｍ２  ）とし、許容範囲を基礎値に対して±１０％とする。なお、輝度計４０（図１参照）としては、例えば、ミノルタ社製ＣＳ１００Ａが用いられる。
【００５０】
３ヶ月に１回の割合で目視試験、ならびに最高輝度、最低輝度および表面反射輝度の測定を行う。グレースケールパターンをディスプレイ３２、３４ごとに表示して、最高輝度、最低輝度および表面反射輝度を輝度計で測定する。そして、測定した各輝度値を、測定日とともに各ＱＣメモリ２９ａ、２９ｂ（図１参照）に記録する。
【００５１】
また、図８に示すＳＭＰＴＥパターンをディスプレイ３２、３４ごとに表示して目視検査を行う。図８（ａ）はＳＭＰＴＥパターンを示す模式図、（ｂ）および（ｃ）は（ａ）のＳＭＰＴＥパターンの要部拡大図である。
図８（ａ）に示すように、ＳＭＰＴＥパターン８０ｄは、テストパターンの内周に沿って、外周パターン１１０が形成されている。この外周パターン１１０の内側にクロスハッチパターン１１２が形成されている。更に外周パターン１１０の中央および四隅に、パターン領域１１４が設けられており、このパターン領域１１４には、高コントラストパターン１１６および低コントラストパターン１１８がそれぞれ２列ずつ配置されている。高コントラストパターン１１６および低コントラストパターン１１８は、左右方向および上下方向に伸びたストライプ状のパターンである。
【００５２】
四隅のパターン領域１１４に隣接して、中央のパターン領域１１４を挟んで図面の上下方向に対向してブラックウインド１２０およびホワイトウインド１２２が設けられている。
ブラックウインド１２０は、図面において左右方向に伸びる矩形状を呈しており、その中央部に設けられた左右に伸びる矩形状の黒いパッチ１２０ａと、それ以外の白い領域１２０ｂとからなる。
ホワイトウインド１２２は、図面において左右方向に伸びる矩形状を呈しており、その中央部に設けられた左右に伸びる矩形状の白いパッチ１２２ａと、それ以外の黒い領域１２２ｂとからなる。
【００５３】
パターン領域１１４の下側には、第１及び第２の小コントラスト変化パターン１２４、１２６が設けられている。
第１の小コントラストパターン１２４は、図８（ｂ）に示すように、正方形状のパターンであり、その中央部に設けられたデータレベルが５％の正方形状のパッチ１２４ａと、その周囲のデータレベルが０％（黒）の領域１２４ｂとからなる。
第２の小コントラストパターン１２６は、図８（ｃ）に示すように、正方形状のパターンであり、その中央部に設けられたデータレベルが９５％の正方形状のパッチ１２６ａと、その周囲のデータレベルが１００％（白）の領域１２６ｂとからなる。なお、データレベルとは、黒（シャドウ）を０％とし、白（ハイライト）を１００％として表されるものである。
【００５４】
さらに、図８（ａ）に示すように、パターン領域１１４の周囲を囲むようにして、第１の小コントラストパターン１２４に隣接する領域から第２の小コントラストパターン１２６に隣接する領域に渡ってグレースケールパターン１２８が形成されている。このグレースケールパターン１２８は、第１の小コントラストパターン１２４に隣接する領域にデータレベルが０％（黒）のパッチが設けられ、順にデータレベルが１０％、２０％、３０％、４０％、５０％、５０％、６０％、７０％、８０％、９０％および１００％（白）のパッチが設けられている。なお、これら以外の領域は、背景１３０であって、その輝度は、パターン全体の輝度の５０％の輝度である。
【００５５】
ＳＭＰＴＥパターンの目視試験における主な検査項目は、グレースケールおよび解像度である。グレースケールについては、オペレータによって、第１および第２の小コントラストパターン１２４、１２６が識別可能か否かで良否が判断される。この場合、ディスプレイ３２、３４のグレースケール特性が悪い場合には、オペレータにより、中央部のパッチ１２４ａ、１２６ａが識別できない。
また、解像度については、高コントラストパターン１１６および低コントラストパターン１１８についても、オペレータにより、ストライプが識別可能か否かで良否が判断される。
このＳＭＰＴＥパターンの目視試験の目視結果も、オペレータによりＰＣ２０（図１参照）に設けられたキーボードなどから日付とともに、入力され、ＱＣメモリ２９ａ、２９ｂに記録される。
【００５６】
上述の目視試験、ならびに最高輝度、最低輝度および表面反射輝度の測定結果は、例えば、４回行った後で、下記表１および表２に示すことができる。下記表１および表２においては、○は、許容範囲内にあること（ＯＫ）を示し、●は、許容範囲外にあること（ＮＧ）を示し、−は、実施していないこと（未実施）を示す。下記表１および表２に示すような試験結果は、ディスプレイ３２、３４に表示されるか、またはローカルプリンタ７０もしくはネットワークプリンタ７２から出力される。これ以外にも、他のディスプレイシステム１１の表示デバイス３０に表示してもよい。
【００５７】
【表１】
2004163823.tif 000003
【００５８】
【表２】
2004163823.tif 000004
【００５９】
図９は、縦軸に輝度をとり、横軸に時間をとって、最高輝度（Ｌｍａｘ）の試験結果を示すグラフである。管理部５０からの命令により出力部５２はＱＣメモリ２９ａ、２９ｂのデータを読み出して、例えば、図９に示すように、最高輝度の測定結果について詳細に表示するようにしてもよい。なお、図９に示す試験結果は、ディスプレイ３２における結果である。この場合、図９に示す測定結果の詳細なデータとして、下記表３に示すように、試験日時、測定値、判定、試験者および輝度計を示すようにしてもよい。なお、図９に示すグラフおよび表３に示す試験結果をディスプレイ３２、３４に表示するか、またはローカルプリンタ７０もしくはネットワークプリンタ７２から出力する。これ以外にも、他のディスプレイシステム１１の表示デバイス３０に表示してもよい。
【００６０】
【表３】
2004163823.tif 000005
【００６１】
図９および表３に示すように、最高輝度が許容範囲外になっている。この場合、ディスプレイ３２の最高輝度が許容範囲になるように調整する。調整の方法は、表示デバイス３０の種類によって異なるので、各表示デバイスに合わせて適宜行う。
【００６２】
次に、ディスプレイの階調特性の校正方法について説明する。
不変性試験（ＪＩＳ  Ｚ４７５２−２−５）においては、ディスプレイの階調特性については規定されていないが、診断画像においては、上述の如く、観察者により観察し易い画像を提供するために、ディスプレイの階調特性を所定の階調特性にすることが望まれている。このため、ディスプレイの階調特性について校正を行う必要がある。
【００６３】
本実施例においては、図２（ａ）に示すテストパターン８０を用いて、階調特性の校正を行う場合について説明する。
先ず、図６（ａ）に示すように、表示デバイス３０のディスプレイ３２、３４ごとにテストパターン８０を表示する。
【００６４】
次に、ディスプレイ３２について、輝度計４０を用いてテストパターン８０のグレースケール８６の各パッチの輝度を測定し、この測定結果を階調補正テーブル作成部２７に記録する。ディスプレイ３２におけるグレースケール８６の各パッチの輝度と、各パッチをディスプレイ３２に表示するに必要な入力信号（画像データ信号）の大きさとの関係を調べ、階調特性（以下、測定階調特性という）を求める。例えば、ＤＩＣＯＭのＧＳＤＦの階調特性（図４参照）で表示する場合、測定階調特性とＧＳＤＦの階調特性とを比較して、グレースケール８６の階調特性がＧＳＤＦの階調特性となるように、階調補正テーブルを作成する。
この場合、グレースケール８６の各パッチにおけるディスプレイ３２への入力信号と輝度との関係を求め、各パッチ間を、線形で補間することにより階調補正テーブルを作成する。
【００６５】
次に、表示デバイス３０、ビデオカード２６、および処理部２４のいずれかと階調補正テーブル作成部２７とを選択部２８により選択的に接続し、ＬＵＴを階調補正テーブルに置き換えてＬＵＴを更新する。
ＰＣ２０の構成によっては、表示デバイス３０、ビデオカード２６、および処理部２４のうち、ＬＵＴを更新することができない場合がある。このため、ＬＵＴを更新できるものに階調補正テーブル作成部２７を接続させる必要がある。従って、選択部２８により、更新可能なＬＵＴを有する表示デバイス３０、ビデオカード２６、および処理部２４のうち、ＬＵＴが更新可能なものと接続し、ＬＵＴを更新する。
【００６６】
次に、更新されたＬＵＴを用いて、ディスプレイ３２にテストパターン８０を表示させて、再度輝度を測定し、ディスプレイ３２の測定階調特性を求め、測定階調特性がＧＳＤＦの階調特性になっているかを確認する。
このとき、測定階調特性が所定の誤差範囲でＧＳＤＦの階調特性であれば、校正を終了する。
一方、測定階調特性が所定の誤差範囲でＧＳＤＦの階調特性でなければ、上述の如く、測定階調特性が所定の誤差範囲でＧＳＤＦの階調特性となるまで、階調補正テーブルの作成を繰り返し行う。
【００６７】
表示デバイス３０のディスプレイ３４についても、ディスプレイ３２と同様にして、図６（ａ）に示すように、テストパターン８０を表示して、ディスプレイ３４の階調特性の校正を行う。
なお、ディスプレイ３２、３４の階調特性の校正結果もＱＣメモリ２９ａ、２９ｂに記録される。また、不変性試験と同様に管理装置６０のＱＣメモリ６２に各ディスプレイ３２、３４ごとに記録されてもよい。
【００６８】
本実施例においては、ディスプレイごとに、このディスプレイの画素数と同じ画素数のテストパターンを表示して不変性試験を行うことにより、正確な不変性試験を行うことができる。また、ディスプレイを複数有する、いわゆるマルチディスプレイであっても、各ディスプレイの画素数に合わせてテストパターンを表示するので、正確な不変性試験を行うことができる。
【００６９】
また、本実施例においては、表示デバイス、ビデオカード、および処理部のＬＵＴのいずれかのＬＵＴを更新することができるので、ＰＣの構成によらず、所定の階調特性にすることができる。
【００７０】
なお、本実施例においては、輝度計により測定された測定値を校正することが好ましい。さらに輝度値は、周囲光の影響を受けてしまうので、この周囲光の影響を補正することが好ましい。
【００７１】
以上、本発明の画像表示装置の品質管理システムについて詳細に説明したが、本発明は上記実施例に限定はされず、本発明の要旨を逸脱しない範囲において、各種の改良および変更を行ってもよいのはもちろんである。
【００７２】
【発明の効果】
以上、詳細に説明したように、本発明の画像表示装置の品質管理システムによれば、マルチディスプレイシステムであっても表示画像の画像データに応じた最適な画像を観察することができる。
【図面の簡単な説明】
【図１】本発明の実施例に係る画像表示装置の品質管理システムを示すブロック図である。
【図２】（ａ）乃至（ｄ）はテストパターン発生部により発生されるテストパターンを示す模式図である。
【図３】図２（ｄ）に示すテストパターンの他の表示方法を示す模式図である。
【図４】縦軸に規格化輝度を対数でとり、横軸に規格化画像データをとって、表示デバイスの階調特性を示す片対数グラフである。
【図５】表示デバイスのディスプレイに表示されるアラート画面を示す模式図である。
【図６】（ａ）は、本実施例の品質管理システムにおけるテストパターンの表示方法を示す模式図、（ｂ）は、本実施例の品質管理システムにおけるテストパターンの他の表示方法を示す模式図である。
【図７】従来のテストパターンの表示方法を示す模式図である。
【図８】（ａ）はＳＭＰＴＥパターンを示す模式図、（ｂ）および（ｃ）は（ａ）のＳＭＰＴＥパターンの要部拡大図である。
【図９】縦軸に輝度をとり、横軸に時間をとって、最高輝度（Ｌｍａｘ）の試験結果を示すグラフである。
【符号の説明】
１０  品質管理システム
１１  ディスプレイシステム
２０  パーソナルコンピュータ（ＰＣ）
２１  画像データ入力部
２２  テストパターン発生部
２４  処理部
２６  ビデオカード
２７  階調補正テーブル作成部
２８  選択部
２９ａ、２９ｂ  ＱＣメモリ
３０  表示デバイス
３２、３４  ディスプレイ
４０  輝度計
４２  輝度計制御部
５０  管理部
５２  出力部
６０  管理装置
６２  ＱＣメモリ
７０  ローカルプリンタ
７２  ネットワークプリンタ
８０、８０ａ、８０ｂ、８０ｃ  テストパターン
８０ｄ  ＳＭＰＴＥテストパターン
９４  マーカ
１００  ウインドウ
【図１】
2004163823.tif 000006
【図２】
2004163823.tif 000007
【図３】
2004163823.tif 000008
【図４】
2004163823.tif 000009
【図５】
2004163823.tif 000010
【図６】
2004163823.tif 000011
【図７】
2004163823.tif 000012
【図８】
2004163823.tif 000013
【図９】
2004163823.tif 000014